(57)【要約】      （修正有）【課題】調理治具が加熱具の上で不測に動かないよう安定して備えることができるとともに、調理治具と該調理治具を載せた加熱具との間に空気流通用の隙間を確保することにより、十分な火力の下で調理、食事をすることができる調理治具ガイド具の提供。【解決手段】加熱具側載置部１３と、該加熱具側載置部１３より上方に備え、上記調理治具１０１の接置を許容する調理治具接置許容部１４とで構成し、上記加熱具側載置部１３の外周に、上記調理治具ガイド具本体を上記加熱具に対してガイドする本体ガイド部１５を備えるとともに、上記調理治具接置許容部１４の外周に、上記調理治具をガイドする調理治具ガイド部１６を備え、上記加熱具側載置部１３と上記調理治具接置許容部１４との間に、上記調理治具１０１と上記加熱具１００との間に隙間Ａを確保する隙間構成部１７を構成した調理治具ガイド具１１。【選択図】図２
2010181086.tif 000002
【特許請求の範囲】
【請求項１】
火力による熱源を備えた加熱具と加熱用の調理治具との間に装着される調理治具ガイド具であって、
上記調理治具ガイド具本体を、上記加熱具の上に載置する加熱具側載置部と、該加熱具側載置部より上方に備え、上記調理治具の接置を許容する調理治具接置許容部とで構成し、
上記加熱具側載置部の外周に、上記調理治具ガイド具本体を上記加熱具に対してガイドする本体ガイド部を備えるとともに、上記調理治具接置許容部の外周に、上記調理治具をガイドする調理治具ガイド部を備え、
上記加熱具側載置部と上記調理治具接置許容部との間に、
上記調理治具と上記加熱具との間に隙間を確保する隙間構成部を構成した
調理治具ガイド具。
【請求項２】
上記本体ガイド部、上記調理治具ガイド部のうち、少なくとも一方のガイド部のガイド位置を上記加熱具、又は、上記調理治具の外周形状に応じて調節する本体ガイド位置調節手段を備えた
請求項１に記載の調理治具ガイド具。
【請求項３】
上記本体ガイド位置調節手段を、
取付け部材と、
上記調理治具ガイド具本体の半径方向に沿って複数、配設され、上記取付け部材の取り付けを許容する取付け許容部とで構成し、
上記ガイド部を上記取付け部材で構成した
請求項２に記載の調理治具ガイド具。
【請求項４】
上記本体ガイド位置調節手段を、
スライド部材と、
上記スライド部材を上記調理治具ガイド具本体の半径方向にスライド案内自在に構成したスライド案内部材とで構成し、
上記ガイド部を上記スライド部材で構成した
請求項２に記載の調理治具ガイド具。
【請求項５】
上記スライド部材を位置決めする位置決め手段を、
上記スライド部材と上記スライド案内部材の少なくとも一方に構成した
請求項４に記載の調理治具ガイド具。
【請求項６】
上記本体ガイド位置調節手段を、上記加熱具、又は、上記調理治具の外周にスライド自在に配して該加熱具、又は、該調理治具をガイド可能な長さを有した長尺状部材と、
上記長尺状部材の絞り具合を調節する絞り調節手段とで構成した
請求項２に記載の調理治具ガイド具。
【請求項７】
上記本体ガイド部と上記調理治具ガイド部とを、
上記調理治具ガイド具本体の外周側に相互に異なるガイド径で構成し、
上記調理治具ガイド具本体を上下反転時に、
上記調理治具ガイド部を、上記調理治具ガイド具本体を上記加熱具に対してガイド可能なガイド径を有して構成するとともに、
上記本体ガイド部を、上記調理治具を上記調理治具ガイド具本体に対してガイド可能なガイド径を有して構成した
請求項１に記載の調理治具ガイド具。
【発明の詳細な説明】
【技術分野】
【０００１】
この発明は、鍋、鉄板などの調理治具を、バーベキューコンロの網や七輪などの七輪の上に載せても動かないよう、これら加熱具と調理治具との間に装着させることで、加熱具に対して調理治具をガイドし、安全に調理や食事などをすることができる調理治具ガイド具に関する。
【背景技術】
【０００２】
鍋、鉄板、網などの調理治具を七輪やコンロの加熱具の上に載置して、加熱しながら調理や食事をする際、箸やヘラなどの器具で食材を混ぜたり出し入れしたりする。この場合、調理治具に外力が加わり、加熱具の上で調理治具が不安定になり、危険である。さらに、不安定にならないよう絶えず注意しながら調理や食事をする必要があるため、安心して調理、食事をすることができなかった。
【０００３】
このような課題に対して、特許文献１には、「焼肉鍋用セット補助具」が開示されている。  
特許文献１に係る「焼肉鍋用セット補助具」は、本体上部に、焼肉鍋の外周側に係止する突起片が構成されるとともに、本体下部に、コンロの五徳に嵌合可能な嵌合溝が構成されている。
【０００４】
上記構成により、「焼肉鍋用セット補助具」は、焼肉鍋とコンロの五徳との間に装着して使用され、コンロの五徳の上に備えた焼肉鍋をしっかりとガイドすることができる。
【０００５】
しかし、調理の際には、コンロの上方は、焼肉鍋により閉塞され、コンロと焼肉鍋との間の外周側は、焼肉鍋用セット補助具により閉塞された状態となる。
【０００６】
よって、焼肉鍋や焼肉鍋用セット補助具によって閉塞されたコンロの周辺では、外側との空気の流通が遮断され、火力が弱くなったり、炎が消え易くなるため、調理する上で必要となる火力を得ることが困難になるという問題があった。
【先行技術文献】
【特許文献】
【０００７】
【特許文献１】実開平０２−７５０４３号公報
【発明の概要】
【発明が解決しようとする課題】
【０００８】
そこで本発明では、調理治具が加熱具の上で不測に動かないよう安定して備えることができるとともに、調理治具と該調理治具を載せた加熱具との間に空気流通用の隙間を確保することにより、十分な火力の下で調理、食事をすることができる調理治具ガイド具の提供を目的とする。
【課題を解決するための手段】
【０００９】
本発明は、火力による熱源を備えた加熱具と加熱用の調理治具との間に装着される調理治具ガイド具であって、上記調理治具ガイド具本体を、上記加熱具の上に載置する加熱具側載置部と、該加熱具側載置部より上方に備え、上記調理治具の接置を許容する調理治具接置許容部とで構成し、上記加熱具側載置部の外周に、上記調理治具ガイド具本体を上記加熱具に対してガイドする本体ガイド部を備えるとともに、上記調理治具接置許容部の外周に、上記調理治具をガイドする調理治具ガイド部を備え、上記加熱具側載置部と上記調理治具接置許容部との間に、記調理治具と上記加熱具との間に隙間を確保する隙間構成部を構成したことを特徴とする。
【００１０】
本発明によれば、本体ガイド部により、上記調理治具ガイド具本体を上記加熱具に対してガイドすることができるとともに、調理治具ガイド部により、上記調理治具を上記調理治具ガイド具本体に対してガイドすることができるため、上記調理治具を上記加熱具に対して安定して固定することができる。
【００１１】
さらに、調理治具を加熱具の上に備えたとき、上記隙間構成部により、調理治具と加熱具との間に隙間を確保することができるため、加熱具の上方を調理治具によって塞いでしまうことがない。よって、加熱具の内部が酸欠状態となって熱源による加熱の勢いが弱まったり、炎が消えてしまうおそれがなく、熱源の火力を持続し、満足のいく火力の下で調理、飲食をすることができる。
【００１２】
上記加熱具は、七輪、コンロ、グリドル、ストーブなど上記調理治具を加熱することができるものを含む。なお、コンロには、バーベキューコンロ、ガスコンロ、カセットコンロなどを含む。
【００１３】
さらに、本明細書では、上記加熱具に備えて上記調理治具を載置するために用いる網や五徳などといった加熱具を構成する部品も、特に示す場合を除き、単に加熱具というものとする。
【００１４】
上記調理治具は、鉄板、フライパン、鍋、ジンギスカン鍋などの鍋や、鉄板、フライパン、網など、食材を載せて上記加熱具によって加熱することができるものを含む。また、上記調理治具は、セラミック製、金属製などを挙げることができ、材質も特に限定しない。
【００１５】
この発明の態様として、上記本体ガイド部、上記調理治具ガイド部のうち、少なくとも一方のガイド部のガイド位置を上記加熱具、又は、上記調理治具の外周形状に応じて調節する本体ガイド位置調節手段を備えることができる。
【００１６】
上記構成により、外周形状が異なる様々な加熱具又は／及び調理治具であっても、その外周形状に応じてガイド部によりしっかりとガイドすることができるため、様々な外周形状の加熱具又は／及び調理治具に適用でき、互換性を高めることができる。
【００１７】
またこの発明の態様として、調理治具ガイド具は、上記本体ガイド位置調節手段を、取付け部材と、上記調理治具ガイド具本体の半径方向に沿って複数、配設され、上記取付け部材の取り付けを許容する取付け許容部とで構成し、上記ガイド部を上記取付け部材で構成することができる。
【００１８】
上記構成により、複数の取付け許容部のうち、加熱具や調理治具の外周形状に応じてガイド可能な取付け許容部に、取付け部材を取り付けることで、様々な外周形状の加熱具や調理治具に対してもしっかりとガイドすることができる。
【００１９】
またこの発明の態様として、調理治具ガイド具は、上記本体ガイド位置調節手段を、スライド部材と、上記スライド部材を上記調理治具ガイド具本体の半径方向にスライド案内自在に構成したスライド案内部材とで構成し、上記ガイド部を上記スライド部材で構成することができる。
【００２０】
上記構成により、上記ガイド部をスライド案内部材でスライド案内させるだけで容易にガイド調節することができる。さらに、上記ガイド部は、スライドによりガイド調節する構成であるため、無段階で調節することができ、様々な外周形状の加熱具や調理治具を適切にガイドすることができる。
【００２１】
またこの発明の態様として、調理治具ガイド具は、上記スライド部材を位置決めする位置決め手段を、上記スライド部材と上記スライド案内部材の少なくとも一方に構成することができる。
【００２２】
上記構成により、加熱具や調理治具をガイドしたとき、上記スライド部材として構成した上記ガイド部が不測にスライドしないよう位置決め手段によりしっかりと固定しておくことができる。
【００２３】
よって、上記ガイド部を上記スライド部材で構成した場合でも、上記ガイド部により、加熱具や調理治具をしっかりとガイドすることができる。
【００２４】
またこの発明の態様として、調理治具ガイド具は、上記本体ガイド位置調節手段を、上記加熱具、又は、上記調理治具の外周にスライド自在に配して該加熱具、又は、該調理治具をガイド可能な長さを有した長尺状部材と、上記長尺状部材の絞り具合を調節する絞り調節手段とで構成することができる。
【００２５】
上記構成により、絞り調節手段を、上記加熱具や上記調理治具の外周形状に応じて絞ることで、長尺状部材のガイド位置を調節することができる。
【００２６】
これにより、上記加熱具や上記調理治具の外周に配した長尺状部材を絞った状態で、上記加熱具や上記調理治具をしっかりとガイドすることができる。
【００２７】
またこの発明の態様として、上記本体ガイド部と上記調理治具ガイド部とを、上記調理治具ガイド具本体の外周側に相互に異なるガイド径で構成し、上記調理治具ガイド具本体を上下反転時に、上記調理治具ガイド部を、上記調理治具ガイド具本体を上記加熱具に対してガイド可能なガイド径を有して構成するとともに、上記本体ガイド部を、上記調理治具を上記調理治具ガイド具本体に対してガイド可能なガイド径を有して構成することができる。
【００２８】
上記構成により、上下反転させることにより、上記加熱具や上記調理治具の外周形状が異なる場合であっても、上記本体ガイド部と上記調理治具ガイド部とをそれぞれの外周形状に対応させた異なるガイド径で構成しているため、しっかりとガイドすることができる。
【００２９】
さらに、上記調理治具と略同じ外周形状で構成された上記加熱具、並びに、上記加熱具と略同じ外周形状で構成された上記調理治具に適用する場合には、上記調理治具ガイド具本体を上下反転してガイドすることにより、上記加熱具、上記調理治具の双方ともしっかりとガイドすることができる。
【発明の効果】
【００３０】
本発明では、調理治具が加熱具の上で不測に動かないよう安定して備えることができるとともに、調理治具と該調理治具を載せた加熱具との間に空気流通用の隙間を確保することにより、十分な火力の下で調理、食事をすることができる調理治具ガイド具を提供することができる。
【図面の簡単な説明】
【００３１】
【図１】第一実施形態の鍋ガイド具の使用状態を示す外観図。
【図２】第一実施形態の鍋ガイド具の装着手順を説明する説明図。
【図３】第一実施形態の鍋ガイド具の正面図（ａ），底面図（ｂ），図３（ｂ）のＡ−Ａ線拡大断面図（ｃ）。
【図４】第一実施形態の鍋ガイド具の作用説明図。
【図５】第二実施形態の鍋ガイド具の平面図（ａ），正面図（ｂ）。
【図６】第二実施形態の本体ガイド位置調節手段の説明図。
【図７】第二実施形態の鍋ガイド具の作用説明図。
【図８】第三実施形態の鍋ガイド具の正面図（ａ），底面図（ｂ），図３（ｂ）のＡ−Ａ線拡大断面図（ｃ），図３（ｃ）のＢ−Ｂ線拡大断面図。
【図９】第三実施形態の本体ガイド位置調節手段の説明図。
【図１０】第三実施形態の鍋ガイド具の作用説明図。
【図１１】第四実施形態の鍋ガイド具の外観図。
【図１２】第五実施形態の鍋ガイド具の外観図。
【図１３】第六実施形態の鍋ガイド具の構成説明図。
【発明を実施するための形態】
【００３２】
この発明の一実施形態を、以下図面を用いて説明する。  
（第一実施形態）  
第一実施形態における鍋ガイド具１１は、図１から図３に示すように構成している。  
なお、図１は、鍋ガイド具１１を使用している様子を示す外観図であり、図２は、七輪１００、鍋ガイド具１１、ジンギスカン鍋１０１をそれぞれ上下方向に分離した状態に配して示した説明図であり、図３（ａ），（ｂ），（ｃ）は、それぞれ鍋ガイド具１１の底面図、一部拡大して示した平面図、図３（ｂ）のＡ−Ａ線拡大断面図である。
【００３３】
上記鍋ガイド具１１は、七輪１００とジンギスカン鍋１０１との間に装着して用いることができ、全体を金属製の線材により構成している。  
上記鍋ガイド具１１は、七輪１００の上に載置する七輪側載置部１３と、該七輪側載置部１３より上方に備え、上記ジンギスカン鍋１０１の接置を許容する鍋接置許容部１４とで鍋ガイド具本体１２を構成している。
【００３４】
上記鍋ガイド具１１は、七輪側載置部１３の外周に、上記鍋ガイド具本体１２を七輪１００に対してガイドする本体ガイド部１５を備えるとともに、上記鍋接置許容部１４の外周に、上記ジンギスカン鍋１０１をガイドする鍋ガイド部１６を備えている。
【００３５】
七輪側載置部１３と鍋接置許容部１４との間には、上記ジンギスカン鍋１０１と七輪１００との間に空気流通用の隙間Ａを確保するための隙間構成部１７を構成している。
【００３６】
詳しくは、上記鍋ガイド具１１は、図２、及び、図３に示すように、１つの十字型線材７１、１つの円環状線材１６、４本の下部固着線材７３により一体に構成している。  
十字型線材７１は、図３（ｂ）の一部拡大図に示すように、２本のＬ字型線材７４，７４の角部７４Ｃ，７４Ｃ同士を熱溶着して、平面視略十字型に一体に構成している。十字型線材７１における十字型により構成される平坦状部分には、ジンギスカン鍋１０１の載置を許容する鍋接置許容部１４として構成している。
【００３７】
十字型線材７１の外周側先端部分は、上方へ向けて直角に屈曲し、後述する鍋ガイド部１６を取り付け可能に、上方への突出した４本の鍋ガイド部取付け片７２を形成している。
【００３８】
円環状線材１６は、ジンギスカン鍋１０１を鍋接置許容部１４に接置したとき、ジンギスカン鍋１０１の外周側全体をガイド可能に４本の鍋ガイド部取り付け片７２の上端部に溶着している。上記円環状線材１６は、鍋接置許容部１４に接置したジンギスカン鍋１０１の外壁に係止することで鍋ガイド具本体１２に対してジンギスカン鍋１０１をガイド可能な鍋ガイド部１６として構成している。  
なお、円環状線材１６の直径は、例えば、３０ｍｍで形成している。
【００３９】
下部固着線材７３の各部には、本体ガイド部１５、七輪側載置部１３、隙間構成部１７を構成している。  
具体的には、下部固着線材７３は、十字型線材７１の先端部分の下部に鍋ガイド具本体１２を４等分配するよう備えている。下部固着線材７３は、図３（ｃ）に示すように、側面視倒位のＵ字形状をした基部７５と、該基部７５の下部から直線状に垂下した下方突状片１５とで形成している。
【００４０】
基部７５は、上下方向の各側に所定間隔を隔てて水平に配した２本の水平な線材１３，７６と、該２本の線材１３，７６同士を連結する上下方向の線材１７とで構成している。
【００４１】
２本の水平な線材１３，７６のうち、上方側の線材（基部上側線材７６）は、十字型線材７１の下部に沿って溶着している。さらに、下方側の線材（基部下側線材１３）は、鍋ガイド具本体１２を七輪１００の上に載置したとき、七輪１００の上面外周に載置されるよう七輪側載置部１３として構成している。
【００４２】
基部上側線材７６と基部下側線材１３との間を連結する上下方向の線材１７を、七輪１００とジンギスカン鍋１０１との間に例えば、１０ｍｍから２０ｍｍの間隔が構成される隙間構成部１７として構成している。
【００４３】
下部固着線材７３における下方突状片１５は、鍋ガイド具本体１２を七輪１００に対してガイドする本体ガイド部１５として構成している。
【００４４】
本体ガイド部１５は、上部が３０ｍｍの外径を有する七輪１００の上部外壁へ係止することで該七輪１００に対して鍋ガイド具本体１２をガイド可能に構成している。
【００４５】
上述した第一実施形態の鍋ガイド具１１は、以下のような様々な作用、効果を奏することができる。  
鍋ガイド具１１を、七輪１００とジンギスカン鍋１０１との間に装着するには、まず、鍋ガイド具１１を七輪側載置部１３が下方を向くよう配した状態で、七輪側載置部１３を七輪１００の上面に載置する。さらに、鍋接置許容部１４に、ジンギスカン鍋１０１を接置することにより、鍋ガイド具１１を図１に示すように、容易に装着することができる。
【００４６】
このとき、図４に示すように、本体ガイド部１５により、上記鍋ガイド具本体１２を上記七輪１００に対してガイドすることができるとともに、鍋ガイド部１６により、上記ジンギスカン鍋１０１を上記鍋ガイド具本体１２に対してガイドすることができるため、上記ジンギスカン鍋１０１を上記七輪１００に対して安定して固定することができる。
【００４７】
さらに、ジンギスカン鍋１０１と七輪１００との間には、隙間構成部１７により隙間Ａを確保することができるため、ジンギスカン鍋１０１を七輪１００の上に備えたとき、七輪１００の上方をジンギスカン鍋１０１によって塞いでしまうことがない。よって、七輪１００の内部が酸欠状態となって熱源である木炭による加熱の勢いが弱まったり、炎が消えてしまうおそれがなく、火力を持続し、満足のいく火力の下で調理、飲食をすることができる。
【００４８】
詳しくは、七輪１００の下部外壁には、内部と連通可能に空気口１００Ａが形成され（図１参照）、該空気口１００Ａを通じて七輪１００の内部へ酸素を供給することができる。これにより、内部の木炭（図示せず）の加熱をある程度は促進することができる。
【００４９】
しかし、七輪１００の内部の空気は、加熱されることで上昇するが、七輪１００の上部には、ジンギスカン鍋１０１を備えているため、従来であれば、上昇しようとする空気の流れを遮ってしまい、七輪１００の内部において空気の循環が著しく低下し、空気口１００Ａからの酸素の供給量も制限される。  
よって、例えば、空気口１００Ａを開口していても、安定した加熱を確保することは困難であった。
【００５０】
これに対して、第一実施形態の鍋ガイド具１１を装着することにより、七輪１００とジンギスカン鍋１０１との間には、隙間構成部１７により隙間Ａが構成され、該隙間Ａを通じて七輪１００内外部に対する通気性を確保することができる。
【００５１】
よって、空気口１００Ａを通じて七輪１００の内部へ流入し、加熱により上昇する空気を、隙間構成部１７により構成される隙間Ａを通じて外部へ流出させることができるため、七輪１００内において空気を循環させることができる。
【００５２】
従って、七輪１００の内部に酸素を効率的に供給することができ、木炭の火力を持続させ、満足のいく火力の下で調理、食事をすることができる。
【００５３】
以下では、他の実施形態における鍋ガイド具について説明する。  
但し、以下で説明する鍋ガイド具の構成のうち、上述した第一実施形態における鍋ガイド具１１と同様の構成については、同一の符号を付して、その説明を省略する。
【００５４】
（第二実施形態）  
第二実施形態における鍋ガイド具２１は、図５（ａ），（ｂ）、及び、図６（ａ）に示すように、本体ガイド部２４のガイド位置を上記七輪１００の外周形状に応じて調節する本体ガイド位置調節手段２０を備えて構成している。
【００５５】
詳しくは、上記鍋ガイド具２１は、鍋接置許容部１４の下部に、第一実施形態の下部固着線材７３の代わりに下部固着ブラケット２２を固着している。  
下部固着ブラケット２２は、板金の曲げ加工により側面視倒位のＵ字型に形成し、隙間構成部１７を備えるとともに、該下部固着ブラケット２２の下面２３において幅方向の一方の側を幅方向外側へ突出させた幅方向突出片２３ａを備えた幅広形状に形成している。
【００５６】
下部固着ブラケット２２の下面２３を七輪側載置部２３として構成している。
上記本体ガイド位置調節手段２０は、上記幅方向突出片２３ａに、十字型線材７１の長さ方向（鍋ガイド具本体１２の半径方向）に沿って配設した５つのボルト取付用螺子穴２５と、該ボルト取付用螺子穴２５に螺合可能なガイド用ボルト２４とで構成している。  
上記ガイド用ボルト２４を本体ガイド部２４として構成している。
【００５７】
上述した第二実施形態の鍋ガイド具２１は、第一実施形態の鍋ガイド具１１が奏する作用、効果に加えて以下のような様々な作用、効果を奏することができる。  
ガイド用ボルト２４を、幅方向突出片２３ａに形成したボルト取付用螺子穴２５に上方から差込むことで、該ガイド用ボルト２４は、図７に示すように、鍋ガイド具本体１２に対してガイド用ボルト２４が下方へ突出し、七輪１００の上部外周に当接することで、七輪１００に対して鍋ガイド具本体１２をガイドすることができる（図７中、仮想線で示した七輪１００の上部外周、及び、ガイド用ボルト２４参照）。
【００５８】
このとき、図７に示すように、ガイド用ボルト２４を５つのボルト取付用螺子穴２５のうち、いずれのボルト取付用螺子穴２５に取り付けるかによって、七輪１００をガイドするガイド径を変更することができるため、様々な外周形状の七輪１００に対しても適用でき、互換性を高めることができる。
【００５９】
さらに、上記鍋ガイド具２１は、ガイド用ボルト２４を、ボルト取付用螺子穴２５に対して上方から差込んで螺合する構成であるため、ガイド用ボルト２４のボルト取付用螺子穴２５に対しての取り付けを容易に行うことができる。
【００６０】
また、第二実施形態における鍋ガイド具２１は、上記構成に限定せず、関連する様々な構成で構成することができる。  
例えば、鍋ガイド具２１Ａは、図６（ｂ）に示すように、下部固着ブラケット２２Ａは、その下面２３に上記幅方向突出片２３ａを形成せずに、５つのボルト取付用螺子穴２５を配設した構成とし、ガイド用ボルト２４を下方からボルト取付用螺子穴２５に差込んで取り付ける構成であってもよい。
【００６１】
上記構成によれば、特に、ガイド用ボルト２４を下方から差込む構成であるので、ガイド用ボルト２４を下部固着ブラケット２２の上方から差込む場合のように、ガイド用ボルト２４が鍋接置許容部１４に干渉することなくボルト取付用螺子穴２５に差込むことができる。  
よって、下部固着ブラケット２２Ａは、幅方向突出片２３ａを備えた形状で構成する必要がなく簡素な形状で形成することができるというメリットを得ることができる。
【００６２】
さらにまた、上記鍋ガイド具２１Ｂは、図６（ｃ）に示すように、ボルト取付用螺子穴２５Ｂを、幅方向突出片２３ａに長い長孔で形成してもよい。  
上記構成によれば、長孔状のボルト取付用螺子穴２５Ｂに差込んだガイド用ボルト２４をボルト取付用螺子穴２５Ｂの形成方向（長手方向）において、スライドさせることでガイド位置を無段階で調節することができ、調節後は、ガイド用ボルト２４に備えたナット２４ａで締結することでしっかりと固定することができる。
【００６３】
（第三実施形態）  
第三実施形態における鍋ガイド具３１は、図８（ａ），（ｂ）、（ｃ）、（ｄ）及び、図９（ａ）に示すように、上記本体ガイド部１５のガイド位置を上記七輪１００の外周形状に応じて調節する上述とは異なる本体ガイド位置調節手段３０を備えて構成している。  
なお、図８（ａ），（ｂ）は、それぞれ鍋ガイド具３１の正面図、底面図を示し、図８（ｃ）は、図８（ｂ）のＡ−Ａ線拡大断面図であり、図８（ｄ）は、図８（ｃ）のＢ−Ｂ線断面図を示す。図９（ａ）は、本体ガイド位置調節手段３０を示す外観図である。
【００６４】
詳しくは、本体ガイド位置調節手段３０は、スライド線材３２と、該スライド線材３２を鍋ガイド具本体１２の半径方向にスライド案内自在に構成したスライド案内部材３３とで構成している。
【００６５】
スライド線材３２は、第一実施形態の下部固着線材７３と同様に基部７５と下方突状片１５とを有した形状で形成している（図８（ｃ）参照）。
【００６６】
スライド案内部材３３は、十字型線材７１で構成し、該十字型線材７１の長さ方向（鍋ガイド具本体１２の半径方向）に沿ってスライド線材３２がスライド自在に構成している。
【００６７】
より詳しくは、十字型線材７１は、２本の線材３３ａ，３３ａを平行に並べて一体に溶着した２本一対で構成し、この２本の線材３３ａ，３３ａの外周を巻き付けて長さ方向へスライド自在なスライド筒状部材３４を配している。このスライド筒状部材３４の下部にスライド線材３２を一体に溶着することで、スライド線材３２を十字型線材７１の長さ方向に沿ってスライド自在に構成している。
【００６８】
さらに、十字型線材７１には、長さ方向における所定間隔ごとに複数の位置決め用突起部３５を配設している。一方、スライド筒状部材３４の内周面であって、上記位置決め用突起部３５との対向部分には、上記位置決め用突起部３５と係合可能な位置決め用凹部３６を形成している。
【００６９】
上記構成により、図１０に示すように、スライド線材３２を十字型線材７１の長さ方向へスライド案内させるだけで容易に、且つ、無段階で本体ガイド部１５によるガイド位置を調節することができ、様々な外周形状の七輪１００を適切にガイドすることができる。
【００７０】
また、十字型線材７１の長さ方向に形成した複数の位置決め用突起部３５のうち、所望の位置決め用突起部３５に、スライド筒状部材３４に形成した位置決め用凹部３６を係合させることにより、位置決めすることができる（図１０、及び、図８（ｃ）の一部拡大図参照）。  
よって、本体ガイド部１５を七輪１００の上部外周に対して、ガイドさせたとき、不測にスライド線材３２がスライド案内部材３３をスライドすることがなく、強固に七輪１００に対して鍋ガイド具本体１２をガイドすることができる。
【００７１】
さらに、スライド案内部材３３を構成する十字型線材７１は、２本の線材３３ａ，３３ａを一体に並設した構成であり、スライド筒状部材３４を、これら２本の線材３３ａ，３３ａに巻き付けた構成であるため、例えば、スライド筒状部材３４を１本の断面円形の線材に巻き付けた構成のように線材の軸回りにスライド筒状部材３４が揺動することがない。よって、スライド線材３２は、不測にスライド案内部材３３の軸回りに揺動することがなく、安定に、且つ正確に、七輪１００に対して鍋ガイド具本体１２をガイドすることができる。
【００７２】
また、第三実施形態における鍋ガイド具３１は、上記構成に限定せず、関連する様々な構成で構成することができる。  
例えば、スライド線材３２は、スライド案内部材３３をスライドする際に、軸回りに揺動することがない構成であれば、図９（ｂ），（ｃ）に示すように他の構成で構成することができる。  
詳しくは、図９（ｂ）に示すように、スライド案内部材３３Ａは、幅方向の両側が外側に突出した突出部３３ｂを有する断面形状で形成した１本の線材で構成したものであってもよい。
【００７３】
さらに、図９（ｃ）に示すように、スライド案内部材３３Ｂは、楕円型の断面形状で形成した１本の線材で構成したものであってもよい。
【００７４】
このような構成によれば、スライド案内部材３３Ａ，３３Ｂは、一本の線材で形成しているが、上述したスライド案内部材３３と同様に、スライド線材３２は、スライド案内部材３３Ａ，３３Ｂをスライドする際に、その軸回りに不測に揺動することがなく、安定してスライドすることができる。
【００７５】
（第四実施形態）  
第四実施形態における鍋ガイド具４１は、図１１に示すように、上記鍋ガイド具本体１２を上記七輪１００に対してガイド調節する本体ガイド位置調節手段４２を備えた構成に加え、ジンギスカン鍋１０１をガイド調節する鍋ガイド位置調節手段４５を備えた構成で構成している。
【００７６】
詳しくは、本体ガイド位置調節手段４２は、本体ガイドスライド部材４３と、本体ガイドスライド部材４３を鍋ガイド具本体１２の半径方向にスライド案内する本体ガイドスライド案内部材４４とで構成している。
【００７７】
鍋ガイド位置調節手段４５は、鍋ガイドスライド部材４６と、上記鍋ガイドスライド部材４６を鍋ガイド具本体１２の半径方向にスライド案内する鍋ガイドスライド案内部材４７とで構成している。
【００７８】
また、鍋ガイド具４１は、十字型線材７１を、上下各側で対向配置し、その間に配して上下各側の十字型線材７１，７２（上側十字型線材７１Ｕ、下側十字型線材７１Ｄ）を連結する連結線材により隙間構成部１７を構成している。さらに、第四実施形態の鍋ガイド具４１においても、十字型線材７１は、２本の線材３３ａ，３３ａを平行に配して一体に平面視十字型に構成している。
【００７９】
上記本体ガイドスライド部材４３は、七輪１００に対して鍋ガイド具本体１２をガイド可能に鍋ガイド具本体１２に対して下方へ突出した形態で構成している。
【００８０】
上記本体ガイドスライド案内部材４４は、下側の十字型線材７１で形成し、本体ガイドスライド部材４３が下側十字型線材７１の長さ方向に沿ってスライド自在に構成している。
【００８１】
一方、鍋ガイドスライド部材４６は、鍋ガイド具本体１２に対してジンギスカン鍋１０１をガイド可能に鍋ガイド具本体１２に対して上方へ突出した形態で構成している。
【００８２】
鍋ガイドスライド部材４６は、ジンギスカン鍋１０１の外壁をしっかりとガイドできるよう、図１１中仮想線で示したブロック状の鍋保持部材４８が取り付けられている。上記鍋保持部材４８は、ジンギスカン鍋１０１の加熱により熱くなりすぎないよう例えば、木製やセラミックス製の熱伝導性の低い材料で形成している。
【００８３】
鍋ガイドスライド案内部材４７は、上側の十字型線材７１で形成し、鍋ガイドスライド部材４６が長さ方向に沿ってスライド自在に構成している。
【００８４】
さらにまた、上側十字型線材７１Ｕは、ジンギスカン鍋１０１を接置可能な鍋接置許容部１４として構成し、下側十字型線材７１は、七輪１００の上に載置する七輪側載置部１３として構成している。
【００８５】
なお、鍋ガイドスライド部材４６が鍋ガイドスライド案内部材４７に対してスライドする構成、及び、本体ガイドスライド部材４３が本体ガイドスライド案内部材４４に対してスライドする構成は、第三実施形態において説明したスライド線材３２がスライド案内部材３３に対してスライドする構成と同様の構成であるため、スライド筒状部材３４などについて同一の符号を付してその詳細な説明を省略する。
【００８６】
上記構成により、ジンギスカン鍋１０１を鍋ガイド具本体１２に対してガイドする場合、ジンギスカン鍋１０１を鍋接置許容部１４に接置し、鍋ガイドスライド部材４６を、ジンギスカン鍋１０１の外周形状に応じて鍋ガイドスライド案内部材４７の長さ方向に沿ってスライドさせ、ジンギスカン鍋１０１の外壁に係止させることでしっかりとガイドすることができる。
【００８７】
さらに、鍋ガイド具本体１２を七輪１００に対してガイドする場合、鍋ガイド具本体１２を七輪１００の上部に載置した状態で、本体ガイドスライド部材４３を、七輪１００上部の外周形状に応じて本体ガイドスライド案内部材４４の長さ方向に沿ってスライドさせ、七輪１００上部の外壁に係止させることでしっかりとガイドすることができる。
【００８８】
このように、ジンギスカン鍋１０１を鍋ガイド具本体１２に対してガイドする場合、或いは、鍋ガイド具本体１２を七輪１００に対してガイドする場合の双方の場合について、様々な外周径のガイド対象物に対してしっかりとガイドすることができる。
【００８９】
（第五実施形態）  
第五実施形態における鍋ガイド具５１は、図１２に示すように、前記鍋ガイド位置調節手段４５とは異なる構成の鍋ガイド位置調節手段５０を備えた構成で構成している。
【００９０】
鍋ガイド位置調節手段５０は、ジンギスカン鍋１０１（図示せず）の外周に配してガイド可能な長さを有した長尺状の帯状部材５２と、該帯状部材５２の絞り具合を調節する絞り調節具５３とで構成している。
【００９１】
上記帯状部材５２は、撓み変形可能な帯状の薄肉な板金で形成し、鍋ガイド具本体１２の上部に円環状に配した状態で、ガイドスライド案内部材４７に備えたスライド筒状部材３４に接置した状態で溶着し、鍋接置許容部１４の半径方向に４つのスライド自在に構成している。  
なお、鍋ガイドスライド案内部材４７は、上側十字型線材７１Ｕにより構成している。
【００９２】
上記絞り調節具５３は、帯状部材５２の長さ方向の両端側に備えた固定側調節具５４とスライド側調節具５５の２部材で構成している。  
固定側調節具５４は、帯状部材５２に対して一体に溶着され、スライド側調節具５５は、帯状部材５２を挿通させて帯状部材５２の長さ方向へスライド自在に備えている。  
さらに、固定側調節具５４は、スライド側調節具５５よりも帯状部材５２の長さ方向の端部側に備え、固定側調節具５４とスライド側調節具５５とはいずれも熱硬化性樹脂で構成している。
【００９３】
上記構成により、帯状部材５２は、固定側調節具５４をスライド側調節具５５に対して互いに離間する方向へ引っ張ることで絞ることができ（図１２中の仮想線で示した帯状部材５２、絞り調節具５３、固定側調節具５４、スライド側調節具５５参照）、固定側調節具５４をスライド側調節具５５に対して互いに近接する方向へスライドさせることで緩めることができる。
【００９４】
従って、使用の際には、絞り調節具５３の絞り具合を緩めておき、円環状に配した帯状部材５２を拡径しておく。その状態で上記ジンギスカン鍋１０１を鍋接置許容部１４に載置し、絞り調節具５３の絞り具合を上述したように調節することで、帯状部材５２を、ジンギスカン鍋１０１の外周形状に応じて絞ることができ、ジンギスカン鍋１０１をしっかりとガイドすることができる。
【００９５】
（第六実施形態）  
第六実施形態における鍋ガイド具６１は、図１３（ａ），（ｂ），（ｃ）に示すように、上記本体ガイド部６３と鍋ガイド部６２とを、上記鍋ガイド具本体１２の外周側に相互に異なるガイド径になるよう構成している。
【００９６】
詳しくは、鍋ガイド具６１は、第一実施形態における鍋ガイド具１１の構成と略同様の構成であるが、第一実施形態における鍋ガイド具１１の構成に対して、鍋ガイド部６２が例えば、２５ｍｍのガイド径Ｄ１になるよう構成するとともに、本体ガイド部６３が例えば、１５ｍｍのガイド径Ｄ２になるよう構成している。
【００９７】
上記構成により、図１３（ｂ）に示すように、鍋ガイド部６２により、略２５ｍｍの外径を有するジンギスカン鍋１０１Ａを、鍋ガイド具本体１２に対してガイドすることができるとともに、本体ガイド部６３により、上部が略１５ｍｍの外径を有する七輪１００Ａに対して鍋ガイド具本体１２をガイドすることができる。
【００９８】
さらに、鍋ガイド具６１を上下反転することにより、図１３（ｃ）に示すように、本体ガイド部６３により、略１５ｍｍの外径を有するジンギスカン鍋１０１Ｂを、鍋ガイド具本体１２に対してガイドすることができるとともに、鍋ガイド部６２により、上部が略２５ｍｍの外径を有する七輪１００Ｂに対して鍋ガイド具本体１２をガイドすることができる。
【００９９】
上記構成により、上記七輪１００や上記ジンギスカン鍋１０１の外周形状が異なる場合であっても、上記本体ガイド部６３と上記ジンギスカン鍋１０１ガイド部とをそれぞれの外周形状に対応する異なるガイド対象物をガイドすることができるため、上記七輪１００、上記ジンギスカン鍋１０１の双方ともしっかりとガイドすることができる。
【０１００】
さらに、七輪１００の外径とジンギスカン鍋１０１の外径とが逆の組合せの場合であっても、上下反転させるだけで、外径の組合せが逆の七輪１００Ｂとジンギスカン鍋１０１Ｂに対してもしっかりとガイドすることができ、シンプルな構成で実現することができる。
【０１０１】
上述した実施形態と、この発明の構成との対応において、
七輪１００，１００Ａ，１００Ｂは、加熱具に対応し、
ジンギスカン鍋１０１，１０１Ａ，１０１Ｂは、調理治具に対応し、
鍋ガイド具１１，２１，２１Ａ，２１Ｂ，３１，４１，５１，６１は、調理治具ガイド具に対応し、
鍋ガイド具本体１２は、調理治具ガイド具本体に対応し、
七輪側載置部１３，２３は、加熱具側載置部に対応し、
鍋接置許容部１４は、調理治具接置許容部に対応し、
鍋ガイド部１６，６２は、調理治具ガイド部に対応し、
本体ガイド位置調節手段２０，３０，４２、及び、鍋ガイド位置調節手段４５，５０は、ガイド位置調節手段に対応し、
ガイド用ボルト２４は、取付け部材に対応し、
ボルト取付用螺旋穴２５は、取付け許容部に対応し、
スライド線材３２、本体ガイドスライド部材４３、及び、鍋ガイドスライド部材４６は、スライド部材に対応し、
スライド案内部材３３，３３Ａ，３３Ｂ、本体ガイドスライド案内部材４４、及び、鍋ガイドスライド案内部材４７は、スライド案内部材に対応し、
位置決め用突起部３５、及び、位置決め用凹部３６は、位置決め手段に対応し、
帯状部材５２は、長尺状部材に対応し、
絞り調節具５３は、絞り調節手段に対応するものとする。
【０１０２】
また、本発明の調理治具ガイド具は、上述した実施例ように様々な構成で構成することができるが、その他にも、様々な構成で構成することができる。
【０１０３】
例えば、鍋接置許容部１４や七輪側載置部１３は、十字型線材７１により構成するに限らず、複数本の線材を交差させた形態、実施例１の七輪側載置部１３，２３のように部分的に支持する形態、或いは、板状の形態で構成するなど、鍋を接置することができる構成、或いは、七輪１００を載置することができる構成であれば特に限定しない。
【０１０４】
また、本発明の調理治具ガイド具は、ガイド位置調節手段を備えた構成に限定しないが、鍋ガイド位置調節手段と本体ガイド位置調節手段のうち少なくとも一方を備えた構成で構成することができる。
【０１０５】
さらに、本発明の調理治具ガイド具は、実施形態２から５で説明した各本体ガイド位置調節手段の構成を、鍋ガイド位置調節手段として転用して構成してもよく、或いは、実施形態４，５で説明した各鍋ガイド位置調節手段の構成を、本体ガイド位置調節手段として転用して構成してもよい。
【符号の説明】
【０１０６】
１１，２１，２１Ａ，２１Ｂ，３１，４１，５１，６１…鍋ガイド具
１２…鍋ガイド具本体
１３，２３…七輪側載置部
１４…鍋接置許容部
１５，６３…本体ガイド部
１６，６２…鍋ガイド部
１７…隙間構成部
２０，３０，４２…本体ガイド位置調節手段
２４…ガイド用ボルト
２５，２５Ｂ…ボルト取付用螺旋穴
３２…スライド線材
３３，３３Ａ，３３Ｂ…スライド案内部材
３５…位置決め用突起部
３６…位置決め用凹部
４３…本体ガイドスライド部材
４４…本体ガイドスライド案内部材
４５，５０…鍋ガイド位置調節手段
４６…鍋ガイドスライド部材
４７…鍋ガイドスライド案内部材
５２…帯状部材
５３…絞り調節具
【図１】
2010181086.tif 000003
【図２】
2010181086.tif 000004
【図３】
2010181086.tif 000005
【図４】
2010181086.tif 000006
【図５】
2010181086.tif 000007
【図６】
2010181086.tif 000008
【図７】
2010181086.tif 000009
【図８】
2010181086.tif 000010
【図９】
2010181086.tif 000011
【図１０】
2010181086.tif 000012
【図１１】
2010181086.tif 000013
【図１２】
2010181086.tif 000014
【図１３】
2010181086.tif 000015